(57)【要約】【課題】定期券の継続発行に要する時間を短縮して定期券を継続発行する、即ち定期券の簡易継続発行が可能な定期券発行装置を提供すること。【解決手段】第１の定期券情報が印刷され第２の定期券情報が記憶された定期券から、前記第２の定期券情報を読み取る読取手段（１１２）と、前記第２の定期券情報に基づき前記定期券の継続発行に必要な定期券継続発行情報を表示する表示手段（１２１）と、前記定期券継続発行情報に基づく前記定期券の継続発行指示を受け付ける受付手段（１２２）と、前記継続発行指示が受け付けられたのに基づき、前記定期券継続発行情報により、前記定期券に記憶された前記第２の定期券情報を更新するとともに、前記第１の定期券情報が未更新であることを示す印刷未更新情報を前記定期券に記憶させて、前記定期券を継続発行する継続発行手段（１１２）とを備えている。【選択図】      図２
2005122459.tif 000002
【特許請求の範囲】
【請求項１】
第１の定期券情報が印刷され、第２の定期券情報が記憶された定期券から、前記第２の定期券情報を読み取る読取手段と、
前記読取手段により読み取られた前記第２の定期券情報に基づき、前記定期券の継続発行に必要な定期券継続発行情報を表示する表示手段と、
前記表示手段により表示された前記定期券継続発行情報の変更、及びこの定期券継続発行情報に基づく前記定期券の継続発行指示を受け付ける受付手段と、
前記受付手段により継続発行指示が受け付けられたのに基づき、前記表示手段により表示された前記定期券継続発行情報により、前記定期券に記憶された前記第２の定期券情報を更新するとともに、前記第１の定期券情報が未更新であることを示す印刷未更新情報を前記定期券に記憶させて、前記定期券を継続発行する継続発行手段と、
を備えたことを特徴とする定期券発行装置。
【請求項２】
第１の定期券情報が印刷され、第２の定期券情報が記憶された定期券から、前記第２の定期券情報を読み取る読取手段と、
前記読取手段により読み取られた前記第２の定期券情報に基づき、前記定期券の継続発行に必要な定期券継続発行情報を表示する表示手段と、
前記表示手段により表示された前記定期券継続発行情報の変更、及びこの定期券継続発行情報に基づく前記定期券の継続発行指示を受け付ける受付手段と、
前記受付手段により継続発行指示が受け付けられたのに基づき、前記表示手段により表示された前記定期券継続発行情報により、前記定期券に記憶された前記第２の定期券情報を更新するとともに、前記第１の定期券情報が未更新であることを示す印刷未更新情報を前記定期券に記憶させて、前記定期券を継続発行する継続発行手段と、
前記定期券継続発行情報に基づき更新される前記第２の定期券情報に対応する情報を印刷出力する印刷出力手段と、
を備えたことを特徴とする定期券発行装置。
【請求項３】
第１の定期券情報が印刷され、第２の定期券情報が記憶された定期券から、前記第２の定期券情報を読み取る読取手段と、
前記読取手段により読み取られた前記第２の定期券情報に基づき、前記定期券の継続発行に必要な定期券継続発行情報を表示する表示手段と、
前記表示手段により表示された前記定期券継続発行情報の変更、及びこの定期券継続発行情報に基づく前記定期券の継続発行指示を受け付ける第１の受付手段と、
前記第１の受付手段により継続発行指示が受け付けられたのに基づき、前記表示手段により表示された前記定期券継続発行情報により、前記定期券に記憶された前記第２の定期券情報を更新するとともに、前記第１の定期券情報が未更新であることを示す印刷未更新情報を前記定期券に記憶させて、前記定期券を継続発行する継続発行手段と、
普通券購入の指示を受け付ける第２の受付手段と、
前記第２の受付手段により受け付けられた普通券購入の指示に基づき、普通券を発行する普通券発行手段と、
を備えたことを特徴とする定期券発行装置。
【請求項４】
第１の定期券情報が印刷され、第２の定期券情報が記憶された定期券から、前記第２の定期券情報を読み取る読取手段と、
前記読取手段により読み取られた前記第２の定期券情報に基づき、前記定期券の継続発行に必要な定期券継続発行情報を表示する表示手段と、
前記表示手段により表示された前記定期券継続発行情報の変更、及びこの定期券継続発行情報に基づく前記定期券の継続発行指示を受け付ける受付手段と、
前記受付手段により継続発行指示が受け付けられたのに基づき、前記表示手段により表示された前記定期券継続発行情報により、前記定期券に記憶された前記第２の定期券情報を更新するとともに、前記定期券に印刷された前記第１の定期券情報を更新し、前記定期券を継続発行する第１の継続発行手段と、
前記受付手段により継続発行指示が受け付けられたのに基づき、前記表示手段により表示された前記定期券継続発行情報により、前記定期券に記憶された前記第２の定期券情報を更新するとともに、前記第１の定期券情報が未更新であることを示す印刷未更新情報を前記定期券に記憶させて、前記定期券を継続発行する第２の継続発行手段と、
前記第１の継続発行手段による継続発行、及び前記第２の継続発行手段による継続発行を時間帯で切り替える制御手段と、
を備えたことを特徴とする定期券発行装置。
【請求項５】
第１の定期券情報が印刷され、第２の定期券情報が記憶された定期券から、前記第２の定期券情報を含むこの定期券に記憶された情報を読み取る読取手段と、
前記読取手段により前記定期券から、前記第１の定期券情報が未更新であることを示す印刷未更新情報が読み取られた場合、前記第２の定期券情報に基づき前記定期券に印刷されている前記第１の定期券情報を更新し、前記定期券に記憶されていた前記印刷未更新情報を消去する印刷情報更新手段と、
を備えたことを特徴とする定期券印刷情報更新装置。
【請求項６】
第１の定期券情報が印刷され、第２の定期券情報が記憶された定期券から、前記第２の定期券情報を含むこの定期券に記憶された情報を読み取る読取手段と、
前記読取手段により読み取られた前記第２の定期券情報に基づき、前記定期券の継続発行に必要な定期券継続発行情報を表示する表示手段と、
前記表示手段により表示された前記定期券継続発行情報の変更、及びこの定期券継続発行情報に基づく前記定期券の継続発行指示を受け付ける受付手段と、
前記受付手段により継続発行指示が受け付けられたのに基づき、前記表示手段により表示された前記定期券継続発行情報により、前記定期券に記憶された前記第２の定期券情報を更新するとともに、前記定期券に印刷された前記第１の定期券情報を更新し、前記定期券を継続発行する第１の継続発行手段と、
前記受付手段により継続発行指示が受け付けられたのに基づき、前記表示手段により表示された前記定期券継続発行情報により、前記定期券に記憶された前記第２の定期券情報を更新するとともに、前記第１の定期券情報が未更新であることを示す印刷未更新情報を前記定期券に記憶させて、前記定期券を継続発行する第２の継続発行手段と、
前記読取手段により前記定期券から、前記第１の定期券情報が未更新であることを示す印刷未更新情報が読み取られた場合、前記第２の定期券情報に基づき前記定期券に印刷されている前記第１の定期券情報を更新し、前記定期券に記憶されていた前記印刷未更新情報を消去する印刷情報更新手段と、
第１の時間帯において前記第１の継続発行手段による継続発行処理及び前記印刷情報更新手段による印刷情報の更新を有効とし、第２の時間帯において前記第２の継続発行手段による継続発行処理を有効とする制御手段と、
を備えたことを特徴とする定期券発行装置。
【発明の詳細な説明】
【技術分野】
【０００１】
本発明は、顧客が所持する定期券に記憶された定期券情報に基づき継続定期券を発行する定期券発行装置に関する。
【背景技術】
【０００２】
鉄道などの交通機関の駅には、普通券発行装置及び定期券発行装置などの駅務機器が設置されている。普通券発行装置は普通券や回数券を発行し、定期券発行装置は定期券を新規発行又は継続発行する（特許文献１参照）。
【０００３】
これに対して、近年、マルチ券売機と称される駅務機器が登場している。このマルチ券売機は、一台で、普通券や回数券を発行したり、定期券を新規又は継続して発行したりすることができる。
【０００４】
例えば、このマルチ券売機により、以下の工程を経て定期券（磁気式／ＩＣカード式）の継続利用が可能となる。
【０００５】
（１）所持している定期券をマルチ券売機に投入する。
【０００６】
（２）マルチ券売機は、投入された定期券に記憶された定期券情報を読み取り、通用月数の入力を案内し（例えば1ヶ月、３ヶ月、６ヶ月）、利用客からの通用月数の入力を待つ。
【０００７】
（３）マルチ券売機は、利用客からの通用月数の入力に対応して、この入力された通用月数及び読み取った定期券情報に基づき継続定期券の条件を表示し、さらに利用客からの訂正入力がある場合には訂正入力に対応した継続定期券の条件を表示する。
【０００８】
（４）マルチ券売機は、表示中の継続定期券の条件に対する確認入力に対応して発売金額を表示し、利用客からの金額投入を待ち、金額投入に対応して上記継続定期券の条件に対応する定期券を発券する。このとき、先に投入された定期券は回収される。
【０００９】
また、このマルチ券売機により、以下の工程を経て定期券（印刷面リライト可能ＩＣカード式）の継続発行が可能となる。
【００１０】
（１）所持している定期券をマルチ券売機に投入する。
【００１１】
（２）マルチ券売機は、投入された定期券に記憶された定期券情報を読み取り、通用月数の入力を案内し（例えば1ヶ月、３ヶ月、６ヶ月）、利用客からの通用月数の入力を待つ。
【００１２】
（３）マルチ券売機は、利用客からの通用月数の入力に対応して、この入力された通用月数及び読み取った定期券情報に基づき継続定期券の条件を表示し、さらに利用客からの訂正入力がある場合には訂正入力に対応した継続定期券の条件を表示する。
【００１３】
（４）マルチ券売機は、表示中の継続定期券の条件に対する確認入力に対応して発売金額を表示し、利用客からの金額投入を待ち、金額投入に対応して上記継続定期券の条件に基づき、先に投入された定期券に記憶されている定期券情報を書き換えて、さらにこの定期券の券面に印刷された定期券情報も書き換えて、この定期券を返却（発券）する。
【特許文献１】特開２００２−１５７６０８
【発明の開示】
【発明が解決しようとする課題】
【００１４】
しかし、上記したマルチ券売機による定期券の発行に要する操作／処理時間は、入力操作や印刷処理が必要なため、普通券や回数券の発行に要する操作／処理時間と比べて、長くなる傾向にある。そのため、マルチ券売機における定期券発行機能を停止して、マルチ券売機の利用者の混雑緩和措置が図られていることが多く、折角のマルチ券売機の機能、即ち同一機体で各種券を発行することができる機能がフル活用されていないという問題がある。
【００１５】
本発明の目的は、上記課題を解決するためになされたものであり、定期券の継続発行に要する時間を短縮して定期券を継続発行する、即ち定期券の簡易継続発行が可能な定期券発行装置を提供することにある。また、本発明の目的は、簡易継続発行された定期券を正規継続発行定期券に更新することが可能な定期券印刷情報更新装置を提供することにある。
【課題を解決するための手段】
【００１６】
この発明の定期券発行装置及び定期券印刷情報更新装置は、以下のように構成されている。
【００１７】
（１）この発明の定期券発行装置は、第１の定期券情報が印刷され、第２の定期券情報が記憶された定期券から、前記第２の定期券情報を読み取る読取手段と、前記読取手段により読み取られた前記第２の定期券情報に基づき、前記定期券の継続発行に必要な定期券継続発行情報を表示する表示手段と、前記表示手段により表示された前記定期券継続発行情報の変更、及びこの定期券継続発行情報に基づく前記定期券の継続発行指示を受け付ける受付手段と、前記受付手段により継続発行指示が受け付けられたのに基づき、前記表示手段により表示された前記定期券継続発行情報により、前記定期券に記憶された前記第２の定期券情報を更新するとともに、前記第１の定期券情報が未更新であることを示す印刷未更新情報を前記定期券に記憶させて、前記定期券を継続発行する継続発行手段とを備えている。
【００１８】
（２）この発明の定期券印刷情報更新装置は、第１の定期券情報が印刷され、第２の定期券情報が記憶された定期券から、前記第２の定期券情報を含むこの定期券に記憶された情報を読み取る読取手段と、前記読取手段により前記定期券から、前記第１の定期券情報が未更新であることを示す印刷未更新情報が読み取られた場合、前記第２の定期券情報に基づき前記定期券に印刷されている前記第１の定期券情報を更新し、前記定期券に記憶されていた前記印刷未更新情報を消去する印刷情報更新手段とを備えている。
【発明の効果】
【００１９】
本発明によれば、定期券の継続発行に要する時間を短縮して定期券を継続発行する、即ち定期券の簡易継続発行が可能な定期券発行装置を提供できる。また、本発明によれば、簡易継続発行された定期券を正規継続発行定期券に更新することが可能な定期券印刷情報更新装置を提供できる。
【発明を実施するための最良の形態】
【００２０】
以下、図面を参照し、本発明の実施形態について説明する。
【００２１】
図１は、この発明の一例に係るマルチ券売機（定期券発行装置、定期券印刷情報更新装置）の外観を示す斜視図であり、図２は、図１に示すマルチ券売機の概略構成を示す機能ブロック図である。
【００２２】
図１に示すように、マルチ券売機１は、表示部１０２、紙幣取り扱い口１０３、券取り扱い口１０４、硬貨投入口１０５、乗車券発行口１０６、硬貨排出口１０７、及び受け皿１０８を備えている。
【００２３】
表示部１０２は、図２に示すように、各種情報を表示する表示手段として機能するＬＣＤ（Liquid Crystal Display）表示部１２１を備えており、普通券、回数券、定期券（磁気式／ＩＣカード式）など各種券の発行処理（後述する新規定期券発行処理、定期券正規継続発行処理、又は簡易定期券継続発行処理）に応じた案内画面等が表示される。さらに、表示部１０２は、図２に示すように、各種指示（普通券購入の指示、新規定期券発行指示等）を受け付ける受付手段として機能するタッチパネル部１２２を備えている。
【００２４】
紙幣取り扱い口１０３は、顧客により挿入される紙幣を受け取ったり、顧客に対してつり銭としての紙幣を返却したりする。券取り扱い口１０４は、顧客により挿入される定期券（磁気式／ＩＣカード式）又はクレジットカードなどを受け取ったり、顧客に対して継続利用又は継続発行される定期券を提供したり、受け取ったクレジットカードを返却したりする。硬貨投入口１０５は、顧客により投入される硬貨を受け入れる。乗車券発行口１０６は、顧客による入力操作に応じて発券される普通券、回数券を排出する。硬貨排出口１０７は、顧客に対してつり銭としての硬貨を返却する。受け皿１０８は、硬貨排出口１０７から返却されるつり銭としての硬貨を受け止める。
【００２５】
続いて、図２を参照して、マルチ券売機１の各機能について説明する。図２に示すように、マルチ券売機１は、主制御部１００を備えており、この主制御部１００により普通券、回数券などの発行、また後述する新規定期券発行処理、定期券正規継続発行処理、簡易定期券継続発行処理、又は印刷面更新処理が制御される。この主制御部１００には、ユニット伝送部１１０、接客部１２０、係員パネル部１３０、記録部１４０、及び上位伝送部１５０などが接続されている。
【００２６】
ユニット伝送部１１０には、発券ユニット１１１、カード処理ユニット１１２、紙幣処理ユニット１１３、及び硬貨処理ユニット１１４などが接続されている。接客部１２０には、ＬＣＤ表示部１２１、タッチパネル部１２２、その他表示・スイッチ部１２４などが接続されている。係員パネル部１３０には、ＬＣＤ表示部１３１、タッチパネル部１３２、その他表示・スイッチ部１３３などが接続されている。上位伝送部１５０は、マルチ券売機等の各種駅務機器を統括管理する管理サーバと通信し、各種データの交換等行なう。
【００２７】
発券ユニット１１１は、ＬＣＤ表示部１２１に表示される普通券の購入指示釦に対応してタッチパネル部１２２（受付手段）を介して普通券の購入指示の入力が受け付けられると、利用者からの代金の支払い（現金払い又はクレジットカード払い）に対応して、この普通券の購入指示に対応する普通券を発券する。また、発券ユニット１１１は、ＬＣＤ表示部１２１に表示される回数券の購入指示釦に対応してタッチパネル部１２２を介して回数券の購入指示の入力が受け付けられると、利用者からの代金の支払いに対応して、この回数券の購入指示に対応する回数券を発券する。さらに、発券ユニット１１１は、磁気式定期券の新規定期券発行処理も担う。つまり、発券ユニット１１１は、ＬＣＤ表示部１２１に表示される磁気式定期券の購入指示釦に対応してタッチパネル部１２２を介して磁気式定期券の購入指示、さらには各種条件（乗車区間、乗車開始日、有効期間、氏名、性別、年齢、電話番号等）の入力が受け付けられると、利用者からの代金の支払いに対応して、入力された条件に対応する磁気式定期券を発券する。
【００２８】
一方、カード処理ユニット１１２は、ＩＣカード式定期券の新規定期券発行処理を担う。つまり、カード処理ユニット１１２は、ＬＣＤ表示部１２１に表示されるＩＣカード式定期券の購入指示釦に対応してタッチパネル部１２２を介してＩＣカード式定期券の購入指示、さらには各種条件（乗車区間、乗車開始日、有効期間、氏名、性別、年齢、電話番号等）の入力が受け付けられると、利用者からの代金の支払いに対応して、入力された条件に対応するＩＣカード式定期券を発行する。
【００２９】
次に、発券ユニット１１１による磁気式定期券の継続利用、及びカード処理ユニット１１２によるＩＣカード式定期券の継続利用について説明する。磁気式定期券又はＩＣカード式定期券の継続利用を希望する利用客は、券取り扱い口１０４を介して、継続利用しようとする磁気式定期券又はＩＣカード式定期券を投入する。これに対応して発券ユニット１１１又はカード処理ユニット１１２は投入された磁気式定期券又はＩＣカード式定期券に記憶された定期券情報を読み取り、これに対応してＬＣＤ表示部１２１は読み取られた定期券情報と同一の継続条件、即ち定期券継続発行情報を表示する。ここで、ＬＣＤ表示部１２１に表示される確認釦に対応してタッチパネル部１２２を介して確認の入力が受け付けられると、ＬＣＤ表示部１２１に発売金額が表示され、利用者からの代金の支払いに対応して、前回と同一の継続条件の磁気式定期券又はＩＣカード式定期券が発券ユニット１１１又はカード処理ユニット１１２により継続発行される。このとき、先に投入された磁気式定期券又はＩＣカード式定期券は回収される。
【００３０】
又、ＬＣＤ表示部１２１上に読み取られた定期券情報と同一の継続条件、即ち定期券継続発行情報が表示されたとき、タッチパネル部１２２を介して各種条件の変更を入力することもできる。この場合には、ＬＣＤ表示部１２１上に変更された条件が表示され、ここで、ＬＣＤ表示部１２１に表示される確認釦に対応してタッチパネル部１２２を介して確認の入力が受け付けられると、ＬＣＤ表示部１２１に発売金額が表示され、利用者からの代金の支払いに対応して、変更された条件の磁気式定期券又はＩＣカード式定期券が発券ユニット１１１又はカード処理ユニット１１２により継続発行される。このときも、同様に、先に投入された磁気式定期券又はＩＣカード式定期券は回収される。
【００３１】
上記したように、条件変更さえなければ、確認釦を介して確認を指示するだけで（少ない操作で）、つまり簡単且つ短時間で前回と同一条件の磁気式定期券又はＩＣカード式定期券の継続利用が可能となる。
【００３２】
次に、マルチ券売機１のカード処理ユニット１１２（継続発行手段）によるＩＣカード式定期券（印刷面リライト可能ＩＣカード式定期券）の定期券正規継続発行処理について説明する。マルチ券売機１の主制御部１００は、例えば所定の時間帯に定期券正規継続発行処理を機能させる。或いは、マルチ券売機１の主制御部１００は、係員パネル部１３０を介して入力される指示に基づき、定期券正規継続発行処理を機能させる。ここで対象とするＩＣカード式定期券は、リライト印刷が可能な印刷面を持ち、この印刷面に定期券情報（第１の定期券情報）が印刷され、ＩＣに定期券情報（第２の定期券情報）を記憶している。
【００３３】
ＩＣカード式定期券の継続発行を希望する利用客は、券取り扱い口１０４を介して、継続発行しようとするＩＣカード式定期券を投入する。これに対応してカード処理ユニット１１２（読取手段）は投入されたＩＣカード式定期券に記憶された定期券情報（第２の定期券情報）を読み取り、これに対応してＬＣＤ表示部１２１（表示手段）は読み取られた定期券情報と同一の継続条件、即ち定期券継続発行情報を表示する。ここで、ＬＣＤ表示部１２１に表示される確認釦に対応してタッチパネル部１２２（受付手段）を介して確認の入力が受け付けられると、ＬＣＤ表示部１２１に発売金額が表示される。利用者から代金が支払われると、定期券継続発行情報に基づき、投入されたＩＣカード式定期券に記憶された定期券情報（第２の定期券情報）が更新されるとともに、この投入されたＩＣカード式定期券に印刷された定期券情報（第１の定期券情報）が更新印刷され（書き換えられ）、この投入されたＩＣカード式定期券が継続発行される。
【００３４】
ＬＣＤ表示部１２１上に読み取られた定期券情報と同一の継続条件、即ち定期券継続発行情報が表示されたとき、タッチパネル部１２２を介して各種条件の変更を入力することもできる。この場合には、ＬＣＤ表示部１２１上に変更された条件が表示され、ここで、ＬＣＤ表示部１２１に表示される確認釦に対応してタッチパネル部１２２を介して確認の入力が受け付けられると、ＬＣＤ表示部１２１に発売金額が表示される。利用者から代金が支払われると、変更された定期券継続発行情報に基づき、投入されたＩＣカード式定期券に記憶された定期券情報（第２の定期券情報）が更新されるとともに、この投入されたＩＣカード式定期券に印刷された定期券情報（第１の定期券情報）が更新され（書き換えられ）、この投入されたＩＣカード式定期券が継続発行される。
【００３５】
次に、図３に示すフローチャートを参照して、マルチ券売機１のカード処理ユニット１１２（継続発行手段）によるＩＣカード式定期券（印刷面リライト可能ＩＣカード式定期券）の定期券簡易継続発行処理について説明する。マルチ券売機１の主制御部１００は、例えば所定の時間帯（定期券正規継続発行処理が有効となっている時間帯と異なる時間帯）に定期券簡易継続発行処理を機能させる。或いは、マルチ券売機１の主制御部１００は、係員パネル部１３０を介して入力される指示（定期券正規継続発行処理又は定期券簡易継続発行処理のどちらかの機能を有効にする指示）に基づき、定期券簡易継続発行処理を機能させる。ここで対象とするＩＣカード式定期券は、リライト印刷が可能な印刷面を持ち、この印刷面に定期券情報（第１の定期券情報）が印刷され、ＩＣに定期券情報（第２の定期券情報）を記憶している。
【００３６】
ＩＣカード式定期券の継続発行を希望する利用客は、券取り扱い口１０４を介して、継続発行しようとするＩＣカード式定期券を投入する（ＳＴ１１）。これに対応してカード処理ユニット１１２（読取手段）は投入されたＩＣカード式定期券に記憶された定期券情報（第２の定期券情報）を読み取り、これに対応してＬＣＤ表示部１２１（表示手段）は読み取られた定期券情報と同一の継続条件、即ち定期券継続発行情報を表示する（ＳＴ１２）。ここで、ＬＣＤ表示部１２１に表示される確認釦に対応してタッチパネル部１２２（受付手段）を介して確認の入力が受け付けられると（ＳＴ１３）（ＳＴ１５）、ＬＣＤ表示部１２１に発売金額が表示される（ＳＴ１６）。利用者から代金が支払われると（ＳＴ１７）、定期券継続発行情報に基づき、投入されたＩＣカード式定期券に記憶された定期券情報（第２の定期券情報）が更新されるとともに（ＳＴ１８）、この投入されたＩＣカード式定期券に印刷された定期券情報（第１の定期券情報）が未更新であることを示す簡易発行済み定期券情報（印刷未更新情報）をこの投入されたＩＣカード式定期券に記憶させて（ＳＴ１８）、この投入されたＩＣカード式定期券が継続発行（返却）される。さらに、記録部１４０（印刷出力手段）により、定期券継続発行情報に基づき更新された定期券情報（第２の定期券情報）に対応する情報、つまり継続発行されたＩＣカード式定期券の印刷面に印刷されるべき情報（定期券簡易継続発行処理で印刷が省略された情報）が、利用客の控えとして、例えばロール紙に印刷され、乗車券発行口１０６から排出される。
【００３７】
なお、ＬＣＤ表示部１２１上に読み取られた定期券情報と同一の継続条件、即ち定期券継続発行情報が表示されたとき、タッチパネル部１２２を介して各種条件の変更を入力することもできる（ＳＴ１４）。この場合には、ＬＣＤ表示部１２１上に変更された条件が表示され、ここで、ＬＣＤ表示部１２１に表示される確認釦に対応してタッチパネル部１２２を介して確認の入力が受け付けられると（ＳＴ１５）、上記と同様にして継続発行処理が行なわれる。
【００３８】
次に、図４に示すフローチャートを参照して、マルチ券売機１のカード処理ユニット１１２（印刷情報更新手段）によるＩＣカード式定期券（印刷面リライト可能ＩＣカード式定期券）の印刷面更新処理について説明する。マルチ券売機１の主制御部１００は、例えば所定の時間帯（例えば定期券正規継続発行処理が有効となっている時間帯と同じ時間帯）に印刷面更新処理を機能させる。或いは、マルチ券売機１の主制御部１００は、係員パネル部１３０を介して入力される指示（印刷面更新処理の機能を有効にする指示）に基づき、印刷面更新処理を機能させる。ここで対象とするＩＣカード式定期券は、リライトが可能な印刷面を持ち、この印刷面に定期券情報（第１の定期券情報）が印刷され、ＩＣに定期券情報（第２の定期券情報）を記憶している。さらに、上記説明した定期券簡易継続発行処理を受けたＩＣカード式定期券である。つまり、簡易発行済み定期券情報（印刷未更新情報）が記憶されたＩＣカード式定期券である。
【００３９】
ＩＣカード式定期券の印刷面更新処理を希望する利用客は、券取り扱い口１０４を介して、印刷面更新処理しようとするＩＣカード式定期券、つまり定期券簡易継続発行処理を受けたＩＣカード式定期券を投入する（ＳＴ２１）。これに対応してカード処理ユニット１１２（読取手段）は投入されたＩＣカード式定期券に記憶された定期券情報（第２の定期券情報）及び簡易発行済み定期券情報（印刷未更新情報）を読み取り（ＳＴ２２）、読み取った第２の定期券情報に基づきＩＣカード式定期券の印刷面に印刷されている定期券情報（第１の定期券情報）を更新印刷し（ＳＴ２２）、このＩＣカード式定期券に記憶されていた簡易発行済み定期券情報（印刷未更新情報）を消去し（ＳＴ２２）、印刷面更新処理が完了したＩＣカード式定期券を返却する（ＳＴ２３）。
【００４０】
次に、新規定期券発行処理、定期券正規継続発行処理、定期券簡易継続発行処理、及び印刷面更新処理を、時間帯で切り替える運用の一例について説明する。これら新規定期券発行処理、定期券正規継続発行処理、定期券簡易継続発行処理、及び印刷面更新処理の時間帯での動作制御は、制御手段としての主制御部１００が行なう。定期券正規継続発行処理には、各種条件（乗車区間、乗車開始日、有効期間、氏名、性別、年齢、電話番号等）の入力が必要であり、発行に要する時間が比較的長くなる。定期券正規継続発行処理も、上記したように、ＩＣカード式定期券の券面の更新処理が必要であり、発行に要する時間が比較的長くなる。よって、これら新規定期券発行処理及び定期券正規継続発行処理は、例えば通勤／通学時間帯（第２の時間帯）は禁止とする。さらに、混雑する通勤／通学時間帯には、印刷面更新処理も禁止とする。つまり、比較的乗降客は少ない昼間の時間帯（第１の時間帯）において、新規定期券発行処理、定期券正規継続発行処理、印刷面更新処理を有効とする。即ち、混雑する通勤／通学時間帯には、定期券簡易継続発行処理のみを有効とする。これにより、マルチ券売機の利用者の混雑を緩和することができ、しかもマルチ券売機の機能をフル活用することができる。
【００４１】
なお、上記説明では、時間帯により、新規定期券発行処理、定期券正規継続発行処理、定期券簡易継続発行処理、及び印刷面更新処理の有効／無効を切り替える旨、説明したが、この発明はこれだけに限定されるものではない。例えば、係員パネル部１３０を介して、係員が上記切り替えを入力（指示）するようにしてもよい。
【００４２】
また、上記説明では、一台のマルチ券売機が定期券簡易継続発行処理及び印刷面更新処理が可能なケースについて説明したが、マルチ券売機から印刷面更新処理を切り離して、専用機で印刷面更新処理を行なうようにしてもよい。
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４４】
【図１】この発明の一例に係るマルチ券売機（定期券発行装置、定期券定期券印刷情報更新装置）の外観を示す斜視図である。
【図２】この発明の一例に係るマルチ券売機の概略構成を示す機能ブロック図である。
【図３】印刷面リライト可能なＩＣカード式定期券の定期券簡易継続発行処理を説明するためのフローチャートである。
【図４】印刷面リライト可能なＩＣカード式定期券の印刷面更新処理を説明するためのフローチャートである。
【符号の説明】
【００４５】
１…マルチ券売機、１０２…表示部、１０３…紙幣取り扱い口、１０４…券取り扱い口、１０５…硬貨投入口、１０６…乗車券発行口、１０７…硬貨排出口、１０８…受け皿、１００…主制御部、１１１…発券ユニット、１１２…カード処理ユニット、１１３…紙幣処理ユニット、１１４…硬貨処理ユニット、１２１…ＬＣＤ表示部、１２２…タッチパネル部
【図１】
2005122459.tif 000003
【図２】
2005122459.tif 000004
【図３】
2005122459.tif 000005
【図４】
2005122459.tif 000006